(57)【要約】      （修正有）【課題】不正開封防止でバージン部が瓶口部に残らないと共に、易破断部のブリッジを閉栓時に切れ難く開栓時に切れ易くする。【解決手段】キャップ本体の開口部に、縦スリットを形成した筒状リングを易破断部と非破断連結部を介して連設し、近傍に凹状部又は凸状部を形成し、キャップ本体に凹状部又は凸状部の移動ストッパーを設け、凹状部又は凸状部と非破断連結部とは、縦スリット両側に挟むように位置させた。螺合により筒状リングを瓶のビードに係合させるとキャップ閉栓時の縦スリットを広げる力が、直接若しくは横方向ブリッジを介しストッパーに働き、縦スリットが広がらず、キャップ本体と筒状リングとをつなぐ易破断連結部が切断しないようにし、キャップ本体を開栓方向に回転させると、キャップ本体と筒状リングとの易破断連結部は破断されるが非破断連結部は破断されずに、キャップ本体と筒状リングとが一緒に瓶口から外れる。【選択図】        図１
2006182357.tif 000002
【特許請求の範囲】
【請求項１】
キャップ本体の開口部に、縦スリットを形成した筒状リングを易破断連結部と非破断連結部を介して連設し、前記筒状リングの前記縦スリット近傍には凹状部又は凸状部を形成し、前記キャップ本体には該凹状部又は凸状部の移動を制御するストッパーを設け、前記凹状部又は凸状部と前記非破断連結部とは、前記縦スリット両側に縦スリットを挟むように位置し、該キャップ本体を瓶口に螺合させ、前記筒状リングを瓶のビードに係合させ、前記キャップ本体を開栓方向に回転させると、前記キャップ本体と前記筒状リングとの易破断連結部は破断されるが非破断連結部は破断されずに、前記キャップ本体と前記筒状リングとが一緒に瓶口から外れるように形成したことを特徴とするバージンキャップ。
【請求項２】
前記筒状リングの凹状部又は凸状部と前記ストッパーとは、当接するように間隔付けて位置するか、横方向ブリッジで連結されている請求項１に記載のバージンキャップ。
【請求項３】
前記移動を制御するストッパーは、前記筒状リングの凹状部又は凸状部と間隔付けて嵌合する凸状部又は凹状部である請求項１又は２に記載のバージンキャップ。
【請求項４】
前記横方向ブリッジは、前記キャップ本体を閉栓方向に回転させた際に前記筒状リングの凹状部又は凸状部が移動して、前記キャップ本体の凸状部又は凹状部との隙間を狭める力が働く位置に設ける請求項３に記載のバージンキャップ。
【請求項５】
前記筒状リングの凹状部と凸状部とは、前記縦スリットから閉栓方向に向かった近傍に形成され、前記非破断連結部は前記縦スリットから開栓方向に向かった近傍に形成されている請求項１〜４のいずれかに記載のバージンキャップ。
【請求項６】
前記筒状リングの凹状部と凸状部とは、前記縦スリットから開栓方向に向かった近傍に形成され、前記非破断連結部は前記縦スリットから閉栓方向に向かった近傍に形成されている請求項１〜４のいずれかに記載のバージンキャップ。
【請求項７】
前記筒状リングの縦スリットと前記筒状リングに形成された凹状部又は凸状部との間に、前記筒状リングと前記キャップ本体とを連結する縦方向ブリッジを設ける請求項１〜６のいずれかに記載のバージンキャップ。
【請求項８】
前記筒状リングは、前記縦スリット部とその近傍を除いた内周面にリング状の係合突起を有し、該係合突起を前記ビードに係合させる請求項１〜７のいずれかに記載のバージンキャップ。
【請求項９】
前記係合突起と前記筒状リング連結部のキャップ開口側には、前記係合突起を上昇傾斜し易くする溝を形成する請求項８に記載のバージンキャップ。
【請求項１０】
前記キャップ本体と前記筒状リングとの易破断連結部が、間隔付けて設けた多数の弾力性を有する縦方向ブリッジであり、非破断連結部が、破断されないように横断面積を大きく形成した縦方向ブリッジである請求項１〜９のいずれかに記載のバージンキャップ。
【請求項１１】
前記筒状リングの内面に多数の係合片を間隔付けて設けて前記リング状の係合突起を構成し、該係合片は上昇傾斜し得るように形成されている請求項８〜１０のいずれかに記載のバージンキャップ。
【請求項１２】
前記バージンキャップは、合成樹脂製である請求項１〜１１のいずれかに記載のバージンキャップ。
【発明の詳細な説明】
【技術分野】
【０００１】
この発明は、開封したら直ちにわかるようにして不正開封の防止を図るバージンキャップに係り、詳記すれば不正開封の防止が図れ且つキャップ本体から破断した筒状リングを瓶に残さないようにすることができるバージンキャップに関する。
【背景技術】
【０００２】
各種飲料や食品等を入れた瓶類が店頭に陳列されている間に、不正な開封を検知して、その防止を図ることができれば、中身を保護し、安心して売ることができ、かつ安心して買うことができるようになる。このような目的を達成するために、いわゆるバージンキャップが従来より使用されている。
【０００３】
従来のバージンキャップは、キャップ本体と筒状体（バージン部）とを縦方向ブリッジを介して連設し、バージン部を瓶のビード（ネジ部下方のリング状凸条）に係合させてキャップを開栓すると、ブリッジが破断して、バージン部をビードに係合させたまま、キャップ本体を瓶口部から外すように構成されている。
【０００４】
従ってバージン部は、瓶口部に残るが、通常は瓶とバージン部とが別材質となるので、リサイクルし難いという問題があった。このような欠点を解消するため、バージン部の１ヵ所があらかじめ切断され、開封時にバージン部が瓶口から外れるバージンキャップが開発されている(特許文献：特開昭57-28767)。さらに、開封時にバージン部とキャップ本体を繋ぐブリッジの大部分は破断するが、ブリッジの一部は破断しないようにして、言い換えれば一部のブリッジを繋がったままとすることによって、バージン部がキャップ本体と一緒に外れるようにしたバージンキャップが開発されている。
【０００５】
しかしながら、上記バージンキャップは、バージン部の１ヶ所が予め切断されている（スリットが形成されている）ので、バージン部がキャップ締付時に瓶のビードを乗越える際に、切断部が広がって切断部分近傍に位置する縦ブリッジが破断してしまうという問題がある。そればかりか、非破断ブリッジを形成しバージン部がキャップ本体と一緒に外れるようにした上記バージンキャップは、バージン部の変形が非破断ブリッジを設けた端側の反対側（他端側）(スリットを挟んだ反対側)に集中し、他端側の切断部分近傍に位置する縦ブリッジへの負荷がより大きくなり破断しやすいという問題を抱えている。
【特許文献１】特開昭57-28767
【発明の開示】
【発明が解決しようとする課題】
【０００６】
上記バージンキャップは、ブリッジを破断させずには開封できないので不正開封を検知できるという点で効果的であったが、上述した如く他端側の切断部分近傍に位置する縦ブリッジへの負荷がより大きくなり破断しやすいという問題を抱えており、この問題はバージンキャップを形成するプラスチックの材質が硬い場合やキャップ締付時の環境（例えば低温下での締付等）により当該プラスチックが硬化した場合に特に生じ易く、このような場合は、キャップ締付時のバージン部が瓶のビードを乗越える際にバージン部の切断部分近傍に位置する縦方向ブリッジが切れる場合が生じ、その結果、不正開封を検知できない場合が生じ得るという問題があった。
【０００７】
この発明は、このような問題点を解消しようとするものであり、不正開封防止の目的が十分達成でき、バージン部が瓶口部に残らないようにすると共に、プラスチックの種類やキャップ締付時の環境によらず、易破断連結部のブリッジを閉栓時に切れ難く開栓時に切れ易くしたバージンキャップを提供することを目的とする。
【課題を解決するための手段】
【０００８】
上記目的に沿う本発明のうち請求項１に記載の発明は、キャップ本体の開口部に、縦スリット（縦方向スリット）を形成した筒状リング(バージン部)を易破断連結部と非破断連結部を介して連設し、前記筒状リングの前記縦スリット近傍には凹状部又は凸状部を形成し、前記キャップ本体には該凹状部又は凸状部の移動を制御するストッパーを設け、前記凹状部又は凸状部と前記非破断連結部とは、前記縦スリット近傍に縦スリットを挟むように位置し、該キャップ本体を瓶口に螺合させ、前記筒状リングを瓶のビードに係合させ、前記キャップ本体を開栓方向に回転させると、前記キャップ本体と前記筒状リングとの易破断連結部は破断されるが非破断連結部は破断されずに、前記キャップ本体と前記筒状リングとが一緒に瓶口から外れるように形成したことを特徴とするバージンキャップである。
【０００９】
要するに本発明は、キャップ閉栓時の縦スリットを広げようとする力が、直接若しくは横方向ブリッジを介して、筒状リングの凹状部又は凸状部がキャップ本体に設けられたストッパーを押圧する力として働き、縦スリットが広がらず、キャップ本体と筒状リングとをつなぐ易破断連結部が切断しないようにしたことを要旨とするものである。
【００１０】
尚、「凹状部又は凸状部の移動を制御するストッパー」とは、例えば（１）筒状リングの凹状部に間隔付けて嵌合するようにキャップ本体に設けられた凸状部、（２）筒状リングの凸状部に間隔付けて嵌合するようにキャップ本体に設けられた凹状部、（３）筒状リングの凸状部に当接（係合）し得るようにキャップ本体に設けられた凸状部（壁体）、等のことを指し、筒状リングの凹状部又は凸状部は、上記ストッパーと横方向ブリッジとで連結していても良い。これらのより具体的な例としては、例えば図５〜図１０に記載したようなものが挙げられるがこれらに限定されるものではない。
【００１１】
前記筒状リングの凹状部又は凸状部と前記ストッパーとは、横方向ブリッジで連結するのが好ましい（請求項２）。尚、横方向ブリッジとは、キャップの回転方向に連結するブリッジのことであり、弾力性のある材料から形成するのが好ましい。
【００１２】
前記移動を制御するストッパーは、前記筒状リングの凹状部又は凸状部と間隔付けて嵌合する凸状部又は凹状部とするのが好ましい（請求項３）。この場合は、前記横方向ブリッジは、前記キャップ本体を閉栓方向に回転させた際に筒状リングの凹状部又は凸状部が移動して、キャップ本体の凸状部又は凹状部との隙間を狭める力が働く位置に設けるのが好ましい（請求項４）。
【００１３】
前記筒状リングの凹状部と凸状部とは、前記縦スリットから閉栓方向に向かった近傍に形成し、前記非破断連結部は前記縦スリットから開栓方向に向かった近傍に形成するか（請求項５）、前記筒状リングの凹状部と凸状部とは、前記縦スリットから開栓方向に向かった近傍に形成し、前記非破断連結部は前記縦スリットから閉栓方向に向かった近傍に形成するのが好ましい（請求項６）。
【００１４】
前記筒状リングの縦スリットと前記筒状リングに形成された凹状部又は凸状部との間に、前記筒状リングと前記キャップ本体とを連結する縦方向ブリッジを設けるのが好ましい（請求項７）。縦スリットは、好ましくは切断部であり、縦（縦方向）というのは、キャップの回転方向と直交する方向の意味であるが、完全に直交しなくとも良いのは勿論である。
【００１５】
前記筒状リングは、前記縦スリット部とその近傍を除いた内周面にリング状の係合突起を有し、該係合突起を前記ビードに係合させるのが好ましい（請求項８）。
【００１６】
前記係合突起と前記筒状リング連結部のキャップ開口側には、前記係合突起を上昇傾斜し易くする溝を形成するのが良い（請求項９）。
【００１７】
前記キャップ本体と前記筒状リングとの易破断連結部は、間隔付けて設けた多数の弾力性を有する縦方向ブリッジとし、非破断連結部は、破断されないように断面積を大きく（太く）形成した縦方向ブリッジとするのが良い（請求項１０）。
【００１８】
前記筒状リングの内面に多数の係合片を間隔付けて設けて(略)リング状の前記係合突起を構成し、該係合片は上昇傾斜し得るように形成して、係合片がビードを乗り越えて係合し易くするのが良い（請求項１１）。
【００１９】
本発明のバージンキャップは、弾力性のある材料、好ましくは合成樹脂製とするのが良い（請求項１１）。
【発明の効果】
【００２０】
本発明によれば、開栓時には、筒状リングを瓶口に残さないようにブリッジを容易に破断することができ、しかもプラスチックの材質が硬い場合や低温下でのキャップ締付時でも、閉栓時の筒状リングの広がりに起因する易破断連結部のブリッジの破断が防止されるので、プラスチックの材質やキャップ締付時の環境によらず効果的に不正開封の防止を図ることができる。
【００２１】
本発明で非破断連結部というのは、閉栓及び開栓時に破断されないように形成したブリッジのことであり、易破断連結部は閉栓時は破断しないが、開栓時は破断し得るように形成されたブリッジのことであるが、キャップ本体と筒状リングとが一緒に瓶口から外れるなら、破断されないブリッジが混入していても差し支えないのは勿論である。
【発明を実施するための最良の形態】
【００２２】
次に、本発明の実施の形態を図面に基づいて説明する。
【００２３】
図１及び図２は、本発明の一実施例を示すものであり、内周面にネジ部１を形成したキャップ本体２と、同キャップ本体２に弾力性を有する縦方向ブリッジ３を介して一部を残して破断し得るように連設した筒状リング（短筒状体）４と、同筒状リング４の縦方向切断部（縦方向スリット）５と、同切断部５の近くの筒状リング４上部に形成された凹状部６と、同凹状部６に間隔付けて嵌合するキャップ本体２に形成した凸状部７と、両凹凸状部の切断部５方向の隙間８を連結する横方向ブリッジ９と、前記筒状リング４とキャップ本体２とを連結する縦方向ブリッジ３´´とから形成した例を示す。尚、切断部５は、リングの一部が除去され、若干の間隔で離間している。
【００２４】
非破断連結部３´´は、切断部５を挟んで、筒状リング（バージン部）４に形成された凹状部６の反対側に形成されている。このように形成することによって、閉栓時は瓶のビードを乗越える際にバージン部４の切断部５近傍に広がろうとする力が作用しても縦方向ブリッジは破断しないと共に、開栓時は筒状リング４とキャップ本体２とに離間させようとする力が作用しても、非破断連結部３´´は破断されないので、凹状部６側のブリッジが破断されキャップを支障なく瓶口から外れるようにすることができる。
【００２５】
本発明における横方向ブリッジ９、縦方向ブリッジ３´は、係合片１０の折り曲げ時、輸送時及びキャッピング時の筒状リング４の縦スリット（縦切断部）５からの径方向外方への広がりを防止することを目的の一つとして設けられている。これらブリッジ９，３´は設けられるのが好ましいが、無くとも本発明の目的は達成し得る。また、横方向ブリッジ９は、従来の切断部５を連結する横方向ブリッジと同様に、不正開封を防止することができる。従って、前記切断部５を更にブリッジ等で連結しても良いが、連結する利点は特にない。
【００２６】
キャップ閉栓時には、切断部５に広がろうとする力が働くが、その力は図１矢印で示すように横方向ブリッジ９を押圧するので、該ブリッジ９は従来の切断部５を連結する横方向ブリッジのように切断する恐れはなくなる。
【００２７】
筒状リング４上端は、凹凸に形成され、同凹部１１に位置した多くの縦方向ブリッジ３でキャップ本体２と連結している。筒状リングの縦スリット（切断部）５と凹状部６との間とキャップ本体２とは好ましくは縦方向ブリッジ３´で連結されている。このようにこの位置に縦方向ブリッジ３´を設けることによって係合片（フラップ）１０の折り曲げ時、輸送時、キャッピング時の筒状リング４の縦スリット５の径方向外方への広がりをより効果的に防止することができる。尚、筒状リング４の上端は、必ずしも凹凸に形成されていなくともよい。
【００２８】
上記凸状部７は上記凹状部６に対するストッパーの役割をしているので、閉栓時に縦方向ブリッジ３´の切断を防止し得る。隙間８を形成する凹状部６の面と凸状部７の面は、縦スリット５と平行に形成されている。これは必ずしもこのようでなくとも良いが、このように構成することによって、スライドする恐れがなくなるので、ストッパーとしての機能が高まる。
【００２９】
また、上記実施例においては、縦方向ブリッジ３´と凹状部６との間の上面(連結面)は、閉栓方向に向かって後端部が凸状１６に形成されている。これも必ずしもこのようでなくとも良いが、このように構成すると、凸状１６の上端がキャップ本体に当接することで縦方向ブリッジ３´が圧縮されて変形することを防止し得ると共に、縦スリット５の広がり抵抗が増大し、縦方向ブリッジ３´が更に切断され難くなる。
【００３０】
尚、筒状リング４下端には、図１及び図２に示すように、多数の係合片（フラップ）１０が内方に向け間隔づけて連設され（略）リング状の係合突起を構成している。尚、係合片１０は、図２に示すように、縦スリット部５とその両側近傍にはないようになっている。このように構成することによって閉栓時の縦スリット５の広がり抵抗を軽減し、広がりに伴う縦方向ブリッジ３´の切断を防止することができる。
【００３１】
図３に示すように、係合片１０と筒状リング４との連結部下部（キャップ開口側）には、リング状に溝１２が形成され、図２に示すように係合片１０の内側(キャップ開口の反対側)中央には、短手方向にＶ字状の溝１７が形成されている。Ｖ字状の溝１７は、連結部から前方に進むに従って上方に向けて拡開している。このように溝１２及び１７を設けることによって、係合片１０が上昇傾斜し易くなり、キャッピング時の乗り越え抵抗が軽減し、スリット部５からの広がりも防止される。
【００３２】
図４に示すように、瓶１３のネジ部１４にキャップ本体２のネジ部１を螺合させると、筒状リング４の係合片１０がネジ部１４より下方のビード１５に当接し、係合片１０は上方に向けて傾斜して、瓶のビード１５を乗り越える。この状態では、上昇傾斜した係合片１０は、若干下降するので、キャップ本体２を開栓方向に回転させても筒状リング４は上昇しない。
【００３３】
瓶１３の材質としては、ガラス、プラスチックの何れでもよいがガラスが望ましい。
【００３４】
また、瓶１３のネジ部１４のネジ山は一般のものよりも一巻き多めに形成されており、このようにすることにより本発明のバージンキャップをしっかりと螺合させることができるようになる。
【００３５】
それからキャップ本体２を開栓方向に回転させると、係合片１０はビード１５に係合しているが、筒状リング４とキャップ本体２とに離間させようとする力が作用するので、縦方向ブリッジ３，３´と横方向ブリッジ９が破断する。破断されない縦方向ブリッジ３´´は、破断されないように太く（強く）形成されている。即ち、本実施例の場合、縦方向ブリッジ３，３´と横方向ブリッジ９は易破断連結部に相当し、縦方向ブリッジ３´´は非破断連結部に相当する。
【００３６】
上記実施例では、横方向ブリッジ９及び縦方向ブリッジ３´は、それぞれ１本としたが、複数本としても良い。複数本とした場合には、筒状リングの径方向外方への広がりをより効果的に防止し得る。
【００３７】
図５は、図１の実施例のバージンキャップであり、点線で囲んだＡ部は、本発明の要部を示すものであり、図６〜図１０は、Ａ部を拡大した他の実施例を示すものである。
【００３８】
図６に示すように、筒状リング4の凹状部６は、縦スリット５から開栓方向に向かった近傍に形成し、非破断連結部３´´は縦スリット５から閉栓方向に向かった近傍に形成しても良い。このように図５と逆に形成しても、開栓時筒状リング４とキャップ本体２とに離間させようとする力が作用しても、非破断連結部３´´は破断されないので、凹状部６側のブリッジが破断されキャップを支障なく瓶口から外すことができる。
【００３９】
また図７及び図８に示すように、筒状リング4に凸状部１８を形成し、同凸状部１８に間隔付けて嵌合する凹状部１９をキャップ本体２に形成しても良い。この両実施例の場合も、瓶のビードを乗り越える際に（閉栓時に）、筒状リング４が若干広がって、凸状部１８が凹状部１９に移動する方向に横方向ブリッジ９が設けられている。
【００４０】
図９に示すように、隙間８を形成する凹状部６の面と凸状部７の面とは、上記実施例のように縦スリット５と平行ではなく、下方に向けて縦スリット５に近づくように傾斜していても良い。このように構成すると、凹状部６は更にスライドし難くなり、ストッパーとしての機能が高まる。
【００４１】
また図１０に示すように、筒状リング4に凸状部１８を形成し、キャップ本体２に凸状部（ストッパー）２０を形成し、両凸状部１８，２０を横方向ブリッジ９で連結しても良い。この場合も両凸状部間の隙間８´´を形成する両凸状部１８，２０の面は、下方に向けて縦スリット５に近づくように傾斜していても良い。また、上記実施例は、全て横方向ブリッジ９を設けているが、これは無くとも差し支えない。
【００４２】
上記いずれの実施例においても、閉栓時は瓶のビードを乗越える際にバージン部４の切断部分５近傍に広がろうとする力が作用しても、ストッパーの作用によって縦方向ブリッジは破断しないと共に、開栓時は筒状リング４とキャップ本体２とに離間させようとする力が作用しても、非破断連結部３´´は破断されないので、非破断連結部３´´と切断部分５を挟む側のブリッジが破断されキャップを支障なく瓶口から外すことができ、本発明の目的を達成することができる。
【００４３】
本発明のバージンキャップは、好ましくは合成樹脂で形成されるが、特に好ましくはポリプロピレン樹脂等の熱可塑性樹脂の射出成形による一体成形で形成するのが良い。１種類の金型で一回で成形できるので、製造コストが低減できるからである。尚、一体成型ではなく２つ以上の金型を使用して作った２以上の部品を組み合わせて本願のバージンキャップを形成する場合、キャップ本体２は堅い材質の合成樹脂を用いて形成するのがよく、また、筒状リング４は弾力性を有する材質の合成樹脂を用いて形成するのがよい。
【００４４】
図１、図６〜図１０に示すような本発明の実施態様においては、筒状リングの縦方向スリット５の近くに形成した凹状部若しくは凸状部とキャップ本体２に形成したストッパーとを横方向ブリッジ９で連結したので、横方向ブリッジ９を破断させなければ開封できないから不正開封防止の目的が十分達成できると共に、閉栓時は横方向ブリッジ９は破断せず、開封時には破断し、キャップ本体とバージン部とを一緒に持ち上げることができるので、バージン部が瓶口部に残らないようにすることができる。尚、横方向ブリッジ９を設けない実施態様においても、非破断連結部３´´、縦方向ブリッジ及びリング状の係合突起等によって、破断させないで開封することは実際には極めて困難である。
【００４５】
また閉栓時には、縦方向スリット５の広がろうとする力がストッパーにより抑制されるので、縦方向ブリッジ３´と横方向ブリッジ９との切断を効果的に防止することができる。
【図面の簡単な説明】
【００４６】
【図１】本発明の一実施例を示す一部破断した正面図である。
【図２】図１のＨ−Ｈ´断面図である。
【図３】図２のＧ−Ｇ´断面図である。
【図４】本発明に使用する瓶の正面図である。
【図５】図１の実施例の要部（Ａ）を示す正面図である。
【図６】本発明の他の実施例を示す要部（Ａ）の拡大図である。
【図７】本発明の他の実施例を示す要部（Ａ）の拡大図である。
【図８】本発明の他の実施例を示す要部（Ａ）の拡大図である。
【図９】本発明の他の実施例を示す要部（Ａ）の拡大図である。
【図１０】本発明の他の実施例を示す要部（Ａ）の拡大図である。
【符号の説明】
【００４７】
１・………ネジ部
２・………キャップ本体
３，３´………縦方向ブリッジ
３´´・………縦方向ブリッジ（非破断連結部）
４・………筒状リング(バージン部)
５・………縦方向切断部（縦方向スリット）
６・………凹状部
７・………凸状部
８，８´，８´´・………隙間
９・………横方向ブリッジ
１０・………係合片(フラップ)
１１・………凹部
１２・………リング状の溝
１３・………瓶
１４・………瓶のネジ部
１５・………ビード
１６・………凸状
１７・………Ｖ字状の溝
１８・………筒状リングに形成した凸状部
１９・………キャップ本体に形成した凹状部
２０・………キャップ本体に形成した凸状部
【図１】
2006182357.tif 000003
【図２】
2006182357.tif 000004
【図３】
2006182357.tif 000005
【図４】
2006182357.tif 000006
【図５】
2006182357.tif 000007
【図６】
2006182357.tif 000008
【図７】
2006182357.tif 000009
【図８】
2006182357.tif 000010
【図９】
2006182357.tif 000011
【図１０】
2006182357.tif 000012